(57)【特許請求の範囲】
【請求項１】
複数のセキュリティ機構を提供するために、物品と共に使用するための磁気／金属セキュリティ装置であって、前記磁気／金属セキュリティ装置は、
幅を有する担体基板と、
磁気／金属セキュリティ機構とを含み、
前記磁気／金属セキュリティ機構は、
前記担体基板の少なくとも一部分上に配置され、金属セキュリティ機構を提供する金属層と、前記金属層上に実質的に同一の位置に配置され、磁気的セキュリティ機構を提供する磁気層であって、該磁気層及び前記金属層が共に、前記担体基板の少なくとも一部に、視覚的に確認できる磁気／金属グラフィックのしるしを形成する磁気層とを含む磁気／金属セキュリティ機構と、
前記担体基板の少なくとも一部分上に配置され、金属セキュリティ機構を提供する金属層であって、前記金属層が前記担体基板上に複数の導電領域を形成し、該導電領域は前記担体基板の前記幅全体にわたって延びる非導電領域によって分離されている金属層と、前記複数の導電領域のうちの少なくとも１つの少なくとも一部分上に実質的に同一の位置に配置され、磁気的セキュリティ機構を提供する磁気層とを含み、少なくとも１つの導電領域の少なくとも一部分又は、該磁気層及び実質的に同一の位置にある前記少なくとも１つの少なくとも一部分の導電領域が、凹部を備え、該凹部は視覚的に確認できるしるしを形成している磁気／金属セキュリティ機構と、
のうち少なくとも一方を含む、磁気／金属セキュリティ装置。
【請求項２】
前記磁気層が、該磁気層上にデータを記録するために磁化されることができる硬質磁性物質を含む、請求項１に記載の磁気／金属セキュリティ装置。
【請求項３】
前記磁気層が、少なくとも１つの予め定める磁気的特徴を有する少なくとも１つのタイプの磁性物質を含み、前記少なくとも１つの予め定める磁気的特徴は、前記セキュリティ装置を有する物品が真正のものであることを確認するために検出することができる、請求項１に記載の磁気／金属セキュリティ装置。
【請求項４】
前記磁気層が、それぞれ少なくとも第１及び第２の予め定める磁気的特徴を有する少なくとも第１及び第２のタイプの磁性物質を含み、前記第１及び第２のタイプの磁性物質が、前記磁気層により符号化されたデータを表す予め定めるパターンで前記磁気層に配置され、前記第１及び第２の予め定める特徴が、前記予め定めるパターンを読み取り、前記データを解読するために検出可能である、請求項１に記載の磁気／金属セキュリティ装置。
【請求項５】
非導電領域により分離された前記複数の導電領域のうち少なくとも第１及び第２の導電領域が、それぞれ少なくとも第１及び第２の金属的特徴を形成する少なくとも２つの予め定める異なった長さを有し、前記金属層により符号化されたデータを表す予め定めるパターンを形成し、前記予め定めるパターンが前記データを解読するために検出され読み取られる、請求項１に記載の磁気／金属セキュリティ装置。
【請求項６】
前記視覚的に確認できるグラフィックのしるしが、前記磁気層及び該磁気層の下にある前記金属層により前記担体基板上にポジティブに形成される、請求項１に記載の磁気／金属セキュリティ装置。
【請求項７】
複数のセキュリティ機構を提供するために、物品と共に使用するための磁気／金属セキュリティ装置であって、前記磁気／金属セキュリティ装置は、
幅を有する担体基板と、
前記担体基板の少なくとも一部分上に配置され、金属セキュリティ機構を提供する金属層であって、該金属層は前記担体基板上に複数の導電領域を形成し、該導電領域が前記担体基板の前記幅全体にわたって延びる非導電領域によって分離されている金属層と、
前記複数の金属層の導電領域のうち少なくとも１つの上に実質的に同一の位置に配置され、磁気的セキュリティ機構を提供する磁気層であって、前記磁気層及び実質的に同一の位置にある前記少なくとも１つの導電領域は凹部を備え、該凹部は視覚的に確認できるしるしを形成している磁気層と、を含む磁気／金属セキュリティ装置。
【請求項８】
複数のセキュリティ機構を有する磁気／金属セキュリティ装置を製造する方法であって、前記方法は、
第１及び第２表面を有する担体基板を準備し、
前記担体基板の第１表面の少なくとも一部分に金属層を設け、
前記金属層の少なくとも一部分上に磁気層を設け、
前記磁気層及び前記金属層の少なくとも一部が実質的に同一の位置に重なり、共に前記担体基板上に視覚的に確認できるしるしを形成するように、前記磁気層及び前記金属層をエッチングし、前記金属層は、該金属層が前記基板上に複数の導電領域を形成するようにエッチングされ、前記導電領域は前記担体基板の前記幅全体にわたって延びる非導電領域により分離される方法。
【請求項９】
前記磁気層及び前記金属層をエッチングすることが、該磁気層及び該金属層を化学的にエッチングすることを含む、請求項８に記載の方法。
【請求項１０】
複数のセキュリティ機構を有する磁気／金属セキュリティ装置を製造する方法であって、前記方法は、
第１及び第２表面を有する担体基板を準備し、
前記担体基板の第１表面の少なくとも一部分に金属層を設け、
前記金属層の少なくとも一部分に磁気化学レジストを設け、該磁気化学レジストが前記金属層上にパターンを形成し、
前記金属層の露出部分を取り除くため金属層を化学的にエッチングし、前記磁気化学レジスト及び該磁気化学レジストの下にある前記金属層の少なくとも一部分が、実質的に同一の位置に重なり、共に前記担体基板上に視覚的に確認できるしるしを形成するよう、化学的エッチングが前記磁気化学レジストにより妨げられ、前記金属層は、該金属層が前記基板上に複数の導電領域を形成するように化学的にエッチングされ、前記導電領域は前記担体基板の幅全体にわたって延びる非導電領域によって分離される方法。
【請求項１１】
少なくとも１つの予め定める磁気的特徴を有する少なくとも１つの磁気領域と、少なくとも１つの予め定める金属的特徴を有する少なくとも１つの金属領域とを含む磁気／金属セキュリティ装置が真正のものであることを確認する方法であって、該方法は、
前記磁気／金属セキュリティ装置の磁気領域を帯電させるステップと、
前記帯電した磁気領域の前記予め定める磁気的特徴を検出するステップと、
前記少なくとも１つの金属領域の前記少なくとも１つの予め定める金属的特徴を検出するステップと、
前記少なくとも１つの予め定める磁気的特徴及び前記少なくとも１つの予め定める金属的特徴を、予想される磁気的及び金属的特徴と比較するステップとを備えた方法。
【請求項１２】
物品と共に使用するための金属セキュリティ装置であって、前記金属セキュリティ装置は、
幅を有する担体基板と、
前記担体基板上に配置された金属層により形成される複数の導電領域であって、前記導電領域は前記担体基板の前記幅全体にわたって延びる非導電領域によって分離されており、少なくとも２つの予め定める異なる長さを有する前記導電領域は、符号化されたデータを表す予め定めるパターンを形成し、該予め定めるパターンは前記データを解読するために検出され、読み取られる導電領域と、
少なくとも前記複数の導電領域において、前記金属層上に実質的に同一の位置に配置され、磁気的セキュリティ機構を提供する磁気層であって、前記磁気層及び実質的に同一の位置にある前記金属層が凹部を備え、該凹部は視覚的に確認できるしるしを形成している磁気層と、を備えた金属セキュリティ装置。
【請求項１３】
複数のセキュリティ機構を有する磁気／金属セキュリティ装置を製造するための方法であって、前記方法は、
幅及び第１及び第２表面を有する担体基板を準備し、
前記担体基板の前記第１表面の少なくとも一部分に金属層を設け、該設けられた金属層は、前記担体基板の前記幅全体にわたって延びる非導電領域によって分離された複数の導電領域を形成しており、
前記金属層の少なくとも一部分上に磁気層を設け、
前記磁気層の少なくとも一部分と前記金属層が実質的に同一の位置に重なるように、前記磁気層及び前記金属層のうち少なくとも１つをエッチングし、実質的に同一の位置に重なっている前記磁気層及び前記金属層が凹部を備え、該凹部は視覚的に確認できるしるしを形成することを含む方法。
【請求項１４】
複数のセキュリティ機構を有する磁気／金属セキュリティ装置を製造する方法であって、前記方法は、
幅及び第１及び第２表面を有する担体基板を準備し、
前記担体基板の第１表面の少なくとも一部分に金属層を設け、
前記金属層の少なくとも一部分に磁気化学レジストを設け、該磁気化学レジストが前記金属層上にパターンを形成し、
前記担体基板の前記幅全体にわたって延びる非導電領域によって分離される、複数の導電領域を形成する前記金属層の露出した部分を取り除くために、前記金属層を化学的にエッチングし、前記磁気化学レジスト及び該磁気化学レジストの下にある前記金属層の少なくとも一部分が実質的に同一の位置に重なり、共に視覚的に確認できるしるしを前記担体基板上に形成するよう、化学的エッチングは前記磁気化学レジストにより妨げられ、実質的に同一の位置に重なっている前記磁気層及び前記金属層が凹部を備え、該凹部は視覚的に確認できるしるしを形成することを含む方法。
【請求項１５】
複数のセキュリティ機構を提供するために、物品と共に使用するための磁気／金属セキュリティ装置であって、
担体基板と、
前記担体基板の少なくとも一部分上に配置され、金属セキュリティ機構を提供する金属層と、
前記金属層と実質的に同一の位置に配置され、磁気的セキュリティ機構を提供する磁気層であって、該磁気層及び前記金属層が、共に前記担体基板の少なくとも一部分上に、分離した不連続のグラフィックのしるしの形で、視覚的に確認できる磁気／金属グラフィックのしるしを形成する磁気層と、を備えた磁気／金属セキュリティ装置。
【発明の詳細な説明】
【０００１】
関連出願
本出願は、本出願に援用されている１９９７年１２月２日出願の米国仮特許出願番号６０／０６７，２２８の利益を請求するものである。
発明の分野
本発明は、セキュリティ装置、特に、価値のある商品又は物品と共に使用するための複数のセキュリティ機能を有するセキュリティ装置又は要素に関する。
発明の背景
銀行券、小切手、チケット、クレジットカードのような保証書類又は証券類、及びその他の価値のある商品又は物品の偽造及び改竄は、多くの分野又は企業において共通の問題である。偽造を防ぐために、多くの保証書類及びその他の価値のある物品は、書類上に又は書類中に配置された偽造防止糸のようなセキュリティ装置又は要素を含んでいる。セキュリティ装置は、一般的に、金属セキュリティ機構又は磁気セキュリティ機構又は発光セキュリティ機構のような、１つ又はそれ以上のセキュリティ機構を含んでいる。それらの機構は書類が本物であることを証明し、偽造及び／又は改竄を防ぐ。
【０００２】
書類が本物であることを証明するのに、従来の多くのセキュリティ装置は、単純に１つのセキュリティ機構の存在が検知されればよい。従って、偽造者は、書類又は物品のセキュリティ機構を認識し、そのセキュリティ機構が偽造書類を本物と証明するように偽造書類又は物品にその１つのセキュリティ機構を複製するだけでよい。技術の進歩は、これらのセキュリティ機構を発見し、セキュリティ装置を有した価値のある書類又は証券類を複製する、より新しくて簡単な方法をもたらした。このように、簡単に発見されたり複製されたりしない、より隠されたセキュリティ機構が必要とされている。
【０００３】
ある種の偽造防止糸は、金属のグラフィックなしるしのような、担体基板上に配置された金属機構を有している。従来の化学エッチング技術では、化学レジストは、陽画又は陰画のどちらかとして、グラフィックなしるしの形で金属層上に印刷される。そして、化学レジストで覆われていない金属層領域の非金属化により、グラフィックなしるしは、残りの金属層によって陰画又は陽画のどちらかとして形成される。金属セキュリティ機構のみを有する偽造防止糸はこの方法により形成されていて、偽造者が金属のグラフィックなしるしを簡単に発見して複製できるために、十分な防御を提供しない。
【０００４】
偽造をより困難にするために、金属及び磁気機構のような複数のセキュリティ機構を組み合わせる試みがなされている。ある例では、ＭＩＣＲ検知器により読み取り可能なグラフィックなしるしを印刷するのに磁気インクが使われている。しかし、磁気インクが、金属セキュリティ機構と共にグラフィックなしるしを印刷するために使用されると、磁気機構と金属機構とは簡単に識別可能であるので、発見されてしまう。偽造者は、磁気及び金属の両方のセキュリティ機構が使用されていて、その両方の機構が複製されなければならないことを認識できる。
【０００５】
他の型の偽造防止糸はまた、磁気及び金属セキュリティ機構の両方を有するグラフィックなしるしを形成するのに、混成金属、すなわち合金を使用している。しかし、合金、及びグラフィックなしるしを形成するために合金を使用する処理は、高価である。また、合金を使用することにより、使用できる磁気特性を変化させる能力が制限されてしまう。
【０００６】
従って、金属及び磁気セキュリティ機構のような、複数のセキュリティ機構を有し、しかも観察しても簡単に識別できずまた認識されないようなセキュリティ装置が必要である。また、セキュリティ機構が、保証書類が本物であることを証明するための検知可能な機構に加えて、例えば、セキュリティ装置又は書類に付属した機械読み取り可能な符号データを提供できるようなセキュリティ装置が必要である。さらに、現存する化学エッチング技術又は非金属化技術を用いて、磁気／金属セキュリティ装置を製造する方法も必要とされている。
発明の要約
本発明は、複数のセキュリティ機構を提供するために物品と共に使用される磁気／金属セキュリティ装置を特徴とする。セキュリティ装置は、担体基板と、金属セキュリティ機構を提供するために担体基板上に配置される金属層と、磁気セキュリティ機構を提供するため、金属層の少なくともいくつかの一部とほぼ同じ位置合わせで上に配置された磁気層とを有する。金属層と磁気層とは合わせて、陽画あるいは陰画のどちらかとして、担体基板上にグラフィックなしるしを形成する。ある実施例では、金属層及び磁気層によって形成されたグラフィックなしるしは、被覆層で覆われている。
【０００７】
磁気／金属セキュリティ装置のそれぞれ異なる実施例において、磁気層が磁気セキュリティ機構を提供する。ある実施例では、グラフィックなしるしは、ＭＩＣＲ検知器で読み取り可能な磁気文字として形成される。別の実施例では、磁気層は、磁気層上にデータを記録するために磁化可能な硬質磁性物質を含んでいる。
【０００８】
さらなる実施例では、前記セキュリティ装置を有する物品が本物であることを証明するために、磁気層は、少なくとも検知可能な１つの予め定める磁気文字を有した少なくとも一種類の磁性物質を含んでいる。一例では、その磁性物質は、限られた時間ある一定の磁力を有することが可能な軟質磁性ピグメントである。
【０００９】
さらなる実施例では、磁気層は、それぞれ少なくとも第１及び第２の予め定める磁気文字を有した少なくとも第１及び第２の型の磁性物質を含んでいる。第１及び第２の型の磁性物質は、磁気層と共に符号化されたデータを表す予め定めるパターンで磁気層に配置されている。そのため、第１及び第２の予め定める特性は、予め定めるパターンを読み取ってそのデータを解読するために検知されることができる。一つの例では、第１及び第２の予め定める磁気特性は、２進数を表している。そして、第１及び第２の型の磁性物質の予め定めるパターンは、２進数コード形式のデータを表す。第１及び第２の型の磁性物質の例は、第１及び第２の予め定める磁気減衰率及び／又は予め定めるレベルの磁力を有する第１及び第２軟質磁性ピグメントを含む。
【００１０】
それぞれ異なる実施例において、磁気／金属セキュリティ装置はまた、磁気層が磁気セキュリティ機構を備える。１つの実施例では、セキュリティ装置を有する物品が本物であることを証明するために、少なくとも金属層の一部は、少なくとも１つの検知可能な予め定める特性を含む。
【００１１】
別の例では、金属層は、基板上に複数の導電領域を形成する。導電領域は、非導電領域によって区別され、符号データを表すための予め定めるパターンを形成する少なくとも２つの異なる予め定める長さを有する。導電領域の予め定める長さは、予め定めるパターンを読み取り、データを解読するために検知されることができる。１つの例では、導電領域は、２進数を表す第１及び第２の予め定める長さを含む。そして導電領域の第１及び第２の長さの予め定めるパターンは、２進数コード形式にデータを符号化する。
【００１２】
本発明はまた、物品と共に使用する磁気セキュリティ装置に関する。磁気セキュリティ装置は、担体基板、及び担体基板上に配置された複数の磁気領域を備える。複数の磁気領域は、それぞれ異なる予め定める磁気特性を有し、磁気領域によって符号化されたデータを表す予め定めるパターンに配置されている。第１及び第２の予め定める特性は、予め定めるパターンを読み取り、データを解読するために検知されることができる。
【００１３】
本発明はまた、物品と共に使用する金属セキュリティ装置に関する。金属セキュリティ装置は、担体基板、及び担体基板上に配置された複数の導電領域を備える。複数の導電領域は、非導電領域によって区別され、符号化されたデータを表すための予め定めるパターンを形成する少なくとも２つの異なる予め定める長さを有する。導電領域の予め定める長さは、予め定めるパターンを読み取り、データを解読するために検知されることができる。
【００１４】
本発明はまた、複数のセキュリティ機構を有する磁気／金属セキュリティ装置を製造する方法に関する。その方法には、第１及び第２の表面を有する担体基板を提供すること、担体基板の第１表面の少なくとも一部に金属層を設けること、金属層の少なくとも一部に磁気層を設けること、磁気層と金属層とがほぼ同じ位置合わせであり、ともに担体基板上にグラフィックなしるしを形成するように磁気層と金属層とをエッチングすることが含まれる。
【００１５】
磁気／金属セキュリティ装置を製造する好ましい方法には、以下のことが含まれる。すなわち、第１及び第２表面を有する担体基板を提供すること、担体基板の第１表面の少なくとも一部に金属層を設けること、磁気化学レジストが金属層上にグラフィックなしるしのパターンを形成するように金属層の少なくとも一部に磁気化学レジストを塗ること、磁気化学レジストと磁気化学レジストの下にある金属層の一部とがともに担体基板上でグラフィックなしるしのパターンを形成するように、化学エッチングが磁気化学レジストにより阻止されるべく金属層の露出した部分を除去するように金属層を化学的にエッチングすることである。その方法はまた、磁気化学レジストにより形成されたグラフィックなしるしと磁気化学レジストの下にある金属層の一部とを追加の層により被せることも含まれる。
好ましい実施例の詳細な説明
本発明の特徴と利点とは、図面と見比べながら以下の詳細な記述を読むことにより、よりよく理解されるであろう。
【００１６】
本発明の図１のセキュリティ装置１０は、物品１２又は物品１２に付属する別の物品の偽造又は複製を防ぐために、物品１２と共に使用される。セキュリティ装置１０は、金属セキュリティ機構及び磁気セキュリティ機構などの複数のセキュリティ機構を有していて、物品１２が本物であることを証明するのに加え、機械読み取り可能な形式のデータで符号化されることができる。金属及び磁気セキュリティ機構は、以下に詳しく説明するように、磁気化学レジストを使用して形成されるのが好ましく、少なくとも金属及び磁気セキュリティ機構の幾つかは、ほぼ完全に重ね合わされ、肉眼で実質的に区別できない。
【００１７】
セキュリティ装置１０は、銀行券、通貨、パスポート、ビザ、権利証書、免許証、登記、小切手、為替、原作書類、権威証明、イベントチケット、商品券を含むがそれらに限定されない保証書類に用いることができる。セキュリティ装置１０は、保証書類の証明を提供し、及び／又は保証書類又はセキュリティ装置そのものに付属したデータで符号化されている。
【００１８】
セキュリティ装置１０はまた、感圧性ラベル、接着ラベル、鋳型ラベル、熱収縮ラベル、編み込みラベル、開封テープ、収縮キャップ及びカラー、ステッカーを含むがそれらに限定されないラベル、タグ、梱包材に用いることができる。この例では、磁気／金属セキュリティ装置１０は、リキュール又はその他の価値のある商品のような、ラベル又は梱包材が付けられた品物が本物であることを証明し、及び／又はその品物に関連したデータで符号化されている。
【００１９】
セキュリティ装置１０はさらに、パスポート、ＩＤカード、アクセスカード、免許証、クレジット／デビットカードを含むがそれらに限定されない薄板状の物品にも用いることができる。この例では、セキュリティ装置１０は、薄板状の品物が本物であることを証明するために使われ、及び／又は品物あるいは品物の所有者に関連したデータで符号化されている。
【００２０】
セキュリティ装置１０はまた、イベントチケット、通行許可証、宝くじ、入場許可証を含むがそれらに限定されないチケット又は許可証にも用いることができる。この例によると、セキュリティ装置１０は、チケット又は許可証そのものが本物であることを証明し、及び／又はそのイベントに関係するデータで符号化されている。本発明はまた、偽造や複製を防止するかあるいは物品又は貴重な品物にセキュリティを提供するために、セキュリティ装置１０を他の用途に利用すると共に応用する。
【００２１】
実施例によると、セキュリティ装置１０は、糸又は帯として形成されていて、物品１２のどの方向かに部分的に又は全体的に延在している。セキュリティ装置１０は、物品１２の内部に埋め込まれたり、物品１２に付着させたり、物品１２に編み込まれたり、物品１２の複数層の間に積層されたりできる。物品１２はまた、本発明による複数のセキュリティ装置１０を備えることもできる。
【００２２】
図２のセキュリティ装置は、担体基板１４を備えている。担体基板１４は、例えば、糸又は帯として形成されている。担体基板１４の１つの型は、紙上のポリエステル又はポリビニルカーボネート又はポリプロピレンのフィルムからなっている。代わりに、担体基板１４は、プラスチックフィルム又は金属化紙、又は従来の偽造防止糸に用いられている他の種類の物質であってもよい。
【００２３】
実施例において、セキュリティ装置１０は、担体基板１４上に配置された金属／磁気媒体から形成されたグラフィックなしるし１６を備える。グラフィックなしるし１６は、担体基板１４上に陽画として形成されることができ、例えば、グラフィックなしるし１６は、磁気／金属媒体からなる。グラフィックなしるし１６はまた、陰画として形成されることができ、例えば、グラフィックなしるし１６を取り囲む領域１８は磁気／金属媒体からなる。磁気／金属セキュリティ装置１０はまた、陽画及び陰画のグラフィックなしるし１６の組み合わせで形成することもできる。グラフィックなしるし１６は、線細工として印刷することもでき、その場合、中実領域は、所望の形状で、あるいは陰影を変化させるために、小さなドットが様々な間隔で印刷されるハーフトーンとして印刷される。グラフィックなしるし１６は、英数字として示されているが、本発明は、どんな種類のシンボル、デザイン、形、他のグラフィックなしるしでも利用できる。
【００２４】
本発明の図３Ａ及び３Ｂの実施例のセキュリティ装置１０を製造するには、まず、担体基板１４に金属層２０を設ける。金属層２０は、担体基板１４上にスパッタされた又は蒸着されたアルミニウムを備えることが好ましい。代わりに、金属層２０は、担体基板１４に設けられた金属箔又は他の種類の金属であってもよい。
【００２５】
次に、磁気化学レジスト２２は、グラフィックなしるし１６の所望のパターンに合わせて、例えば、陽画又は陰画又はその両方で、金属層２０に塗布される。磁気化学レジスト２２は、強磁性及び／又はその他の磁性ピグメントを含む膜形成化学レジスト樹脂を含んでいる。化学レジストの例としては、溶媒ベース、液体又は固体ベース、紫外線（ＵＶ）又は電子ビーム（ＥＢ）重合化樹脂系、その他の従来の化学レジスト樹脂があるがそれらに限定されるものではない。磁性ピグメントは、以下に詳しく説明されるように、硬質軟質両方の磁性ピグメントを備えていて、一般的におよそ２００エルステッドから１０，０００エルステッドまで分布している。
【００２６】
次に、図３Ｂに示すように、磁気／金属セキュリティ装置１０上で、磁気化学レジスト２２によって保護されていない金属層２０の一部分を取り除くエッチング加工が実行される。このエッチング加工は、熟練した当業者にとって公知である、従来の化学的エッチング加工を含んでいる。磁気化学レジスト２２は、化学的侵食に耐えて下にある金属層２０上に残り、所望のプリントパターンで配置されることになる。磁気化学レジスト２２は、下にある金属層２０の少なくとも一部と実質的に同一な位置に重ねられ、これによってセキュリティ装置１０の少なくともある領域において、実質的に識別不可能な磁気的及び金属的セキュリティ機能を提供する。磁気化学レジスト２２は、このように、金属層２０のエッチング中に化学的侵食に耐えること及び容易に識別されないように金属的セキュリティ機能に付加された磁気的セキュリティ機能を提供することに役立つのである。
【００２７】
また、グラフィックなしるし１６は、それらに限定されるわけではないがレーザ、機械的刻印、研削等を含む他のタイプの技術を用いて形成することもできる。一例では、金属層を搭載した基板が、磁気層によって覆われ、レーザエッチング加工を施される。
【００２８】
レーザエッチングは、磁気層及び金属層の両方を選択的に取り除き、金属的セキュリティ機能に実質的に全く一致して付加された磁気セキュリティ機能を有する、所望のグラフィックなしるし１６を形成する。
本発明は、また、グラフィックなしるし１６の片側あるいは両側に、図３Ｃに示す追加的なコーティングあるいはラミネート２４を使用することも意図している。一例においては、追加層２４が、紙に埋め込まれて反射光で見られる際にセキュリティ装置１０を隠すのを助けるために使用されている。しかし、この場合、磁気化学レジストによって作られたグラフィックなしるし１６は、透過光の中で見られると識別可能なままである。
【００２９】
セキュリティ装置１０は、図４Ａ及び４Ｂに示すように、機械による読み取りが可能なアナログあるいはデジタルデータにより符号化することができ、また金属的及び磁気的セキュリティ機能の様々な特性を利用することにより、複数の方法での確認を可能にする。セキュリティ装置１０あるいは物品１２を認証するために一つ以上の金属的及び／あるいは磁気的特性を利用することは、その一つ以上の特性がセキュリティ装置１０上に存在するか否かを検知することを、必然的に含んでいる。アナログあるいはデジタルデータとして符号化するために一つ以上の金属的及び／あるいは磁気的特性を利用することは、例えば二進化十進数フォーマットなどによる数字コードを表示する一組の特性を検知し、読み取って、コードによって示されているデータを判断するために、コードを解読することを含んでいる。
【００３０】
磁気的セキュリティ機能は、物品を認証すること、あるいは物品に関連するデータを複数の方法で符号化することが可能である。一例においては、グラフィックなしるし１６が、従来のＭＩＣＲ検知装置によって読み取り可能な磁気文字として形成されている。この例の場合、グラフィックなしるし１６は、陽画の文字として形成されるのが望ましい。
【００３１】
他の例によれば、磁気化学レジスト２２は、磁気記録テープと同様に磁化することが可能な硬質の磁気ピグメントを含んでいる。この例においては、図４Ａに示すグラフィックなしるし１６は、硬質の磁気ピグメントを含む磁気化学レジスト２２が一つ以上の磁気トラック２３ａ及び２３ｂを形成するように、反転文字として形成されるのが望ましい。認証データあるいは他の情報は、従来の記録装置及び読取装置を用いて、磁気トラック２３ａ、２３ｂに書き込み、そこから読み取ることができる。
【００３２】
更に別の例によれば、磁気化学レジスト２２は、磁化されてその軟質磁性体の特徴あるいは特性によって異なる限られた期間において、磁気レベルを保持する軟質磁性体を含んでいる。軟質磁性体が最初に磁化されない限り磁気特性が検知されないため、軟質磁性体の使用によって、磁気セキュリティ機能を更に隠蔽することが可能となる。軟質磁性体は、通常、獲得可能な磁気レベル及び磁力の減衰率等、所定の磁気特性を有する。軟質磁性体は、まず磁気的／金属的セキュリティ装置１０を磁化し、次に磁性体の存在、磁性レベル、あるいは減衰率を検知することによって、認証を与えるために利用することができる。
【００３３】
軟質磁性体に獲得可能な様々な磁性レベルあるいは減衰率等の種々の磁気特性を与えることにより、図４Ｂに示したように、グラフィックなしるし１６は、更にデータを機械による読み取りが可能なフォーマットで符号化することができる。例えば、グラフィックなしるしのセグメント１６ａ−１６ｄは、データをＢＣＤフォーマットで符号化する二進法による整数を表す、一方は減衰率２８ａが高く、他方は減衰率２８ｂが低い２種類の軟質磁気ピグメントを含むことが可能である。グラフィックなしるしのセグメント１６ａ、１６ｃは減衰率の高い磁性体とともにプリントされ、グラフィックなしるしの他のセグメント１６ｂ、１６ｄは減衰率の低い磁性体とともにプリントされる。これによりデータは、２種類の磁気ピグメントを有するセグメント１６ａ−１６ｄの所定のパターンを提供することによって、ＢＣＤフォーマット（０１０１）で符号化される。符号化されたデータは、物品１２に関する認証データあるいは他のデータを含み得る。
【００３４】
本発明の一方法によれば、様々な磁気特性あるいは特徴を有する磁気ピグメントを含む磁気化学レジスト２２の様々な考案物が、多色印刷に使用されるものと同様なオフセット印刷機等マルチプルプリントステーションを利用して金属層２０上にプリントされる。マルチプルプリントステーションを利用すれば、グラフィックなしるしは、様々な磁気特性を有する種々の磁気化学レジストを用いて所望のパターンでプリントされる。
【００３５】
本発明は、また、物品の認証あるいは物品に関するデータの符号化のために、所望の磁気的特徴あるいは特性を得るため、同時に軟質磁性体のみでなく硬質及び軟質磁性体の混合物の磁性レベル及び減衰率特性を利用することも意図している。前記の例示的な実施例はＢＣＤフォーマットでデータを符号化するための２つの異なった磁気特性に言及しているが、他の数字フォーマットでデータを符号化するために、何種類の異なる特性を用いてもよい。磁気セキュリティ機能を利用して認証を与えデータを符号化するのに加えて、金属的セキュリティ機能もまた、以下でより詳細に説明するように、例えばＢＣＤフォーマット（１１００）でデータを表示する長さの異なる金属で、セグメント１６ａ−１６ｄを形成することにより、認証を与え、データを符号化することができる。
【００３６】
図５に示した装置３０は、金属及び／あるいは磁気層の一つ以上の特徴を検知するため、及び／あるいは異なった特徴を有する金属及び磁気領域により形成される所定のパターンを読み取るための、少なくとも一つの検知装置／読取装置３４を含んでいる。この一つ以上の特徴を検知した後、認証装置３６はそのセキュリティ装置が真性のものかどうか決定する。所定のパターンを読み取った後、デコーダ３８はその所定のパターンによって表されたデータを解読する。
【００３７】
セキュリティ装置１０が軟質磁性体を有する磁気セキュリティ機能を含んでいる場合、装置３０は、更に磁気チャージャ３２を備えており、これは、読取装置３４が磁性体の存在、磁性レベル、磁性体の減衰率、あるいは他の検知可能な磁気特性等の磁性体の特徴を検知する前に、軟質磁気ピグメントにチャージする。認証は、軟質磁性体が存在するかどうか、軟質磁性体が予め定める磁気レベルを有するかどうか、あるいは軟質磁性体が予め定める減衰率を有するかどうかに基づいて行うことができる。
【００３８】
符号解読は、読取装置３４によって読み取られた様々な磁気特性のパターンを決定することにより行われる。例えば、図４に示された磁気的／金属的セキュリティ装置１０が磁化器３２によって磁化された場合、しばらくすると、低い減衰率２８ｂを有するセグメント１６ｂ、１６ｄは磁化されたままになっているが、高い減衰率２８ａを有するセグメント１６ａ、１６ｃはもはや磁気を帯びていない。読取装置３４は異なった磁気特性を識別し、その磁気特性の所定のパターンを決定する。磁気特性の所定のパターンから、対応する二進法の表示（０１０１）及びそれにより表されたデータが解読される。
【００３９】
図６に示された、本発明の一実施例による金属セキュリティ装置４０は、例えば前述の化学レジスト処理を用いて形成された、非金属遮断部を有する金属化されたポリエステルフィルム等の、複数の導電領域４２及び非導電領域４４を含む。各非導電領域４４は、２つの導電領域４２の間に設けられている。複数の導電領域４２及び非導電領域４４は、金属的セキュリティ機能４０により符号化された認証コードあるいはデータを表す予め定めるパターンを形成する。
【００４０】
各導電領域４２は、少なくとも２つの所定の長さ、例えば長い導電領域４２ａ及び短い導電領域４２ｂの内１つを有する。各所定の長さは、各導電領域４２の長さを検知し対応する値を決定することによって、データが決定されるよう、所定の値に対応している。
一例として、長い導電領域４２ａは“１”に対応し、短い導電領域４２ｂは“０”に対応する。この例によれば、長い及び短い導電領域４２ａ、４２ｂは、データをＢＣＤフォーマットで符号化するために使用される。長い及び短い導電領域４２ａ、４２ｂは、符号化されるべきデータの二進法の表示に対応する所定の連続で配置されている。この例では、検知装置／読取装置３４は、その連続における各導電領域４２の長さ（例えば、長いあるいは短い）を検知し、対応する二進法の表示を決定する。認証を与えるためには、その二進法の表示が、物品１２について予め定められた認証コードと等しいことになる。符号化されたデータを読み取るために、その二進法表示は更に解読される。
【００４１】
従って、異なった長さを有する導電領域４２の配置に応じて、実質上無限の数の認証コードあるいはデータを、機械読み取り金属セキュリティ機構４０を利用して符号化することが可能である。本発明による機械読み取り金属セキュリティ機構４０は、導電領域４２ａ、４２ｂのつながり方を変えることによって、符号化されたデータを容易に変えることを可能にする。導電領域は、以下においてより詳細に説明されているように、予め定める長さのうち１つにわたって導電性があれば、様々な構図で形成することができる。本文中では簡略化のために２つの長さのみ言及されているが、本発明は、データ符号化のためのあらゆる数の異なる長さの導電領域を使用することを意図している。例えば、八進法のデータは、８個の異なる長さの導電領域を使用して符号化することが可能である。図７に示す機械読み取り可能な金属的セキュリティ機能４０を読み取り及び認証する１つの方法は、Ｈａｒｂａｕｇｈに付与された米国特許Ｎｏ．５，４１９，４２４に開示され、また本文中に援用されているような、容量性認証あるいは検知を利用して長い及び短い導電領域４２ａ、４２ｂを検知することによるものである。容量性認証法によれば、機械読み取り可能な金属的セキュリティ機能４０は、認証装置（示されていない）に連結された容量性センサ５０の近傍に置かれている。容量性センサ５０が導電領域４２の近傍に置かれた場合、導電領域４２は１つの容量性センサ５２ａと別の容量性センサ５２ｂを容量的に結合する。非導電領域４４あるいは導電性における“遮断部”がある場合は、非導電領域４４の両側にあって隣接する容量性センサ５２ｂ、５２ｃの間で容量結合が生じないことになる。機械読み取り可能な符号化された金属的セキュリティ機能４０が容量性センサ５０の近傍に置かれたときの、容量における変化を検知することにより、長い及び短い導電領域４２ａ、４２ｂの存在が効果的に検知される。本発明はまた、様々な電磁認証装置等の、導電領域４２ａ、４２ｂの長さを検知することができる他の認証装置及び方法をも意図している。
【００４２】
機械読み取り可能な符号化された金属的セキュリティ機構４０の導電領域４２は、アルミニウム等の金属材料から形成されるのが好ましい。限定的ではないが例示的な方法は、ポリエステルフィルムの金属被覆による導電領域４２の形成、熱スタンプフォイル、及び金属インクで導電領域４２をプリントすることを含む。本発明は、他のタイプの金属材料及び金属製導電領域及び非導電遮断部の形成法も意図している。
【００４３】
機械読み取り可能な符号化された金属的セキュリティ機能４０及びそれが用いられているセキュリティ装置１０は、例えば長さの変化が約５％以下の最小限の“伸縮”しかできないように設計されていることが望ましい。また、導電領域４２ａ、４２ｂの長さの検知は、例えば潜在的な長さ変化のパーセンテージを説明することにより、セキュリティ装置及び機械読み取り可能な符号化された金属的セキュリティ機能 ４０の潜在的な伸縮を説明するはずである。
【００４４】
図８に示す本発明の機械読み取り可能な符号化された金属的セキュリティ機構４０ａの他の実施例によれば、各導電領域４２ａ、４２ｂは、その上に配置されたしるし４６を含む。導電領域４２ａ、４２ｂ上にプリントあるいは配置されたしるし４６は、追加的な認証コードあるいはデータを提供するために利用するか、あるいは偽造者を欺き、本物の認証コードを隠す偽のパターンを提供するために利用することができる。そのようなしるしは英数字４６ａ、バーコード４６ｂ、あるいは他の図案４６ｃを含む。本実施例によるしるし４６ａ−４６ｃは、各導電領域４２ａ、４２ｂの導電性を遮断することなく、また容量性センサ５２を用いた各導電領域４２ａ、４２ｂの長さの容量性検知に影響を与えることなく、各導電領域４２ａ、４２ｂ上にプリントあるいは配置される。
【００４５】
図９に示した他の実施例である機械読み取り可能な符号化された金属的セキュリティ機構４０ｂによれば、導電領域４２は、例えば金属インクでプリントされるか又は化学薬品防食処理により形成されるなどして、導電性しるし領域６２ａ−６２ｃとして導電性材料から形成される。導電性しるし領域６２ａ、６２ｃは、接点４８で結合し、非導電領域４４で離れているしるしの個々の文字あるいは記号４９ａ−４９ｆを有することにより設定される。導電性しるし領域６２ａ−６２ｃは、このように所定の長さを有し、上記のように検知されるべき符号化されたデータを表示する予め定めるパターンで配置されている。導電性しるし領域６２ａ−６２ｃは、追加的な認証コードを提供するため、あるいは偽造者を欺き、本物の認証コードを隠す偽のパターンを提供するために用いられる英数字及び他の記号あるいは文字を含む。
【００４６】
図１０に示された本発明の更に別の実施例である機械読み取り可能な符号化された金属的セキュリティ機構４０ｃは、金属材料の狭い領域のような導電領域４２ａ−４２ｃ及び導電領域４２ａ−４２ｃの間の導電性を遮断する非導電しるし領域６４ａ−６４ｃを含む。例えば、特定の英数字あるいは他の記号は、非導電材料から形成するか、あるいは導電性“遮断部”を設けるために、導電領域４２ａ−４２ｃ間において、化学レジスト処理あるいは非金属化処理を施すことにより形成することができる。非導電しるし領域６４ａ−６４ｃを構成する英数字あるいは他の記号は、更に追加的なデータあるいはコード及び偽造者を欺き、本物の認証コードを隠す偽のパターンを提供する。
【００４７】
本発明は、１つのセキュリティ装置上で磁気セキュリティ機能及び金属的セキュリティ機能を単独であるいは併せて使用することを意図している。前記のあらゆる数の磁気的あるいは金属的特性は、個々に、あるいは他の特性と組合わせて物品の認証を与え物品に関連するデータを符号化し、あるいはその両方をするために用いられる。
【００４８】
本発明の種々の実施例によれば、図１１に示す１つ以上のセキュリティ装置あるいはスレッド１０を、保証書類あるいは証書７０上のあるいはそれに埋め込まれた様々な位置に設けることができる。１つ以上のセキュリティ装置１０は、右側を上方向に、あるいは下方向に、そのほか、様々な方向に読み取り可能である。一例では、保証書類７０は、セキュリティ装置１０を、後で重ね合わせられる厚さが半分の２層の紙の間に接着して形成される。この例では、証書７０を薄層に剥いでセキュリティ装置１０を取り出そうとすると、紙層接着剤が金属的及び／あるいは磁気的セキュリティ機能を取り除きセキュリティ機能あるいは符号化されたデータを変えてしまうことになるよう、セキュリティ装置１０を構成するのが望ましい。
【００４９】
証書７０の一例は、スポーツ競技、コンサート、劇場、ショー、くじ、交通機関、テーマパーク、フェア、及び他の催しのために使用されるチケットである。チケット内のセキュリティ装置１０は、例えば特定の催しへの入場の際などセキュリティ証書７０が提示されたとき読み取り可能な、所定の認証コードあるいは符号化されたデータを用いて符号化できる。一例では、１つの完全なコード７２は、約２．５インチ内に見られる。
【００５０】
従って、本発明のセキュリティ装置は物品を認証し、かつ／あるいはその物品に関するデータとともに、通常合わせて単一のセキュリティ機能として見られる、金属的セキュリティ機能及び磁気的セキュリティ機能等１つ以上のセキュリティ機能を持つ多数の方法で符号化される。従って、セキュリティ機能及び符号化されたデータは、識別し、複製するのがより難しいのである。化学的エッチング及び磁気化学レジストを用いてセキュリティ装置を製造する方法は、実質的に金属的セキュリティ機能と識別不可能な磁気的セキュリティ機能をもたらす。磁気化学レジストを用いてグラフィックなしるしをプリントする方法は、様々な調剤による磁気化学レジストをプリントすることにより、やはり様々な磁気特徴あるいは特性を有する磁気ピグメントの使用を容易にする。
【００５１】
熟練した当業者による変更及び代替は、以下に記載の請求の範囲による以外には限定されるべきでない、本発明の範囲内にあると考えられるべきである。
【図面の簡単な説明】
【図１】本発明のセキュリティ装置を有する書類又は物品の平面図である。
【図２】本発明の一実施例の、磁気／金属セキュリティ装置の拡大平面図である。
【図３Ａ―３Ｃ】本発明の磁気／金属セキュリティ装置を製造する方法の側面断面図である。
【図４Ａ】本発明の一実施例の、磁気トラックを有する磁気／金属セキュリティ装置の断面図である。
【図４Ｂ】本発明の一実施例の、機械読み取り可能な符号化された磁気及び金属セキュリティ機構を有する磁気／金属セキュリティ装置の概略図である。
【図５】本発明の一実施例の、磁気セキュリティ機構を検知するかあるいは読み取るための装置の機能ブロック図である。
【図６】本発明の一実施例の、機械読み取り可能な符号による金属セキュリティ機構の概略図である。
【図７】本発明の一実施例の、符号データを読み取るための機械読み取り可能な符号による金属セキュリティ機構及び容量性センサの側面断面図である。
【図８】本発明の別の実施例の、機械読み取り可能な金属セキュリティ機構の拡大平面図である。
【図９】本発明のさらなる実施例の、機械読み取り可能な金属セキュリティ機構の拡大平面図である。
【図１０】本発明の別の実施例の、機械読み取り可能な金属セキュリティ機構の拡大図である。
【図１１】本発明の一実施例のセキュリティ装置の概略図である。
【図１】
0003629206.tif 000002
【図２】
0003629206.tif 000003
【図３Ａ】
0003629206.tif 000004
【図３Ｂ】
0003629206.tif 000005
【図３Ｃ】
0003629206.tif 000006
【図４Ａ】
0003629206.tif 000007
【図４Ｂ】
0003629206.tif 000008
【図５】
0003629206.tif 000009
【図６】
0003629206.tif 000010
【図７】
0003629206.tif 000011
【図８】
0003629206.tif 000012
【図９】
0003629206.tif 000013
【図１０】
0003629206.tif 000014
【図１１】
0003629206.tif 000015